(57)【要約】      （修正有）【課題】コンクリート部材の接合部からの放射線の漏洩抑えることができる汚染廃棄物格納庫を提供する。【解決手段】汚染廃棄物格納庫１０は、複数のボックスカルバート１２を順次に接合し、ボックスカルバート１２群の両端開口部の上下に接合される妻壁スラブ１９．２０で閉塞されている。この各ボックスカルバート１２同士の接合部および妻壁スラブ１９．２０の接合部は、汚染廃棄物に含まれる放射性物質の放射線を遮蔽する遮蔽構造となっている。この遮蔽構造は、接合対象間で互いに接合可能な段差形状に形成されている。【選択図】図３
0003177030.tif 000002
【実用新案登録請求の範囲】
【請求項１】
複数のコンクリート部材の接合により構築されて放射性物質を含む汚染廃棄物を内部に格納する汚染廃棄物格納庫において、
各コンクリート部材の接合部を、汚染廃棄部に含まれる放射性物質の放射線を遮蔽する遮蔽構造に形成したことを特徴とする汚染廃棄物格納庫。
【請求項２】
複数の暗渠ブロックを順次に接合した暗渠ブロック群と、暗渠ブロック群の両端開口部を閉塞する上下に接合される複数の妻壁ブロックとを備え、内部に放射性物質を含む汚染廃棄物を格納する汚染廃棄物格納庫において、
前記各ブロックの接合部を、汚染廃棄物に含まれる放射性物質の放射線を遮蔽する遮蔽構造に形成したことを特徴とする汚染廃棄物格納庫。
【請求項３】
複数の開渠ブロックを順次に接合した開渠ブロック群と、開渠ブロック群の両端開口部に接合される妻壁ブロックと、暗渠ブロック群の上端開口部を閉塞する複数の天板ブロックとを備え、内部に放射性物質を含む汚染廃棄物を格納する汚染廃棄物格納庫において、
前記各ブロックの接合部を、汚染廃棄物に含まれる放射性物質の放射線を遮蔽する遮蔽構造に形成したことを特徴とする汚染廃棄物格納庫。
【請求項４】
前記遮蔽構造は、接合対象のブロック間で互いに接合可能な段差形状からなることを特徴とする請求項１〜３のいずれか１項に記載の汚染廃棄物格納庫。
【考案の詳細な説明】
【技術分野】
【０００１】
本考案は、放射性物質を含む下水道汚泥、除染のために削ぎ取った土壌、間伐材、除草、焼却灰などの汚染廃棄物を格納して保管するコンクリート製の汚染廃棄物格納庫に関する。
【背景技術】
【０００２】
福島第一原子力発電所の事故により、東北地方・関東地方の下水処理場の下水汚泥や同地方で除染のために削ぎ取った土壌、間伐材、除草、焼却灰などからセシウム１３７やストロンチュウム９０などの放射性物質が検出されている。この放射性物質を含む汚染廃棄物はリサイクルができず、通常の産廃処理施設では処理もできない。
【０００３】
そこで、現在のところ汚染廃棄物は、コンクリート製の汚染廃棄物格納庫に仮置きして保管されている。図１０および図１１に基づき非特許文献１の汚染廃棄物格納庫１の概略を説明すれば、分割製造された複数のＬ型擁壁２・遮水シート３・妻壁スラブ４・複数のコンクリート蓋パネル５を用いて施工現場で構築されている。
【０００４】
すなわち、基礎６上に各Ｌ型擁壁２を対向させて幅方向Ｈに沿って順次接合させ、汚染廃棄物を詰め込んだ大型土嚢７を内部に搬入し、遮水シート３を巻いて両サイドの開口部を妻壁スラブ４で閉塞する。その後にコンクリート蓋パネル５群を上端開口部に設置して閉塞することにより、コンクリート擁壁内に汚染廃棄物が仮置きされている。
【先行技術文献】
【非特許文献】
【０００５】
【非特許文献１】”タイプＩ  Ｕ型保管施設”、[ｏｎｌｉｎｅ]、汚染廃棄物仮置施設研究会、[平成２３年３月２日検索]、インターネット＜ＵＲＬ：http://isrw.biz/pg37.html＞
【考案の概要】
【考案が解決しようとする課題】
【０００６】
しかしながら、コンクリート製品は放射線の遮蔽効果が高いものの、従来の汚染廃棄物格納庫１は、幅方向Ｈに沿ってＬ型擁壁２を接合しているため、Ｌ型擁壁２の接合部から放射線が大量に漏れ出すおそれがある。これでは仮置きによる放射線量の減衰効果が期待できず、汚染廃棄物を安全に保管することができなくなってしまう。
【０００７】
本考案は、上述のような従来技術の問題点を解決するためになされたものであり、汚染廃棄物格納庫を構成するコンクリート部材の接合部からの放射線の漏洩抑えることを解決課題としている。
【課題を解決するための手段】
【０００８】
そこで、本考案は、複数のコンクリート部材の接合により構築されて放射性物質を含む汚染廃棄物を内部に格納する汚染廃棄物格納庫において、コンクリート部材の接合部を、汚染廃棄部に含まれる放射性物質の放射線を遮蔽する遮蔽構造に形成した。
【０００９】
この考案の一態様としては、複数の暗渠ブロックを順次に接合した暗渠ブロック群と、暗渠ブロック群の両端開口部を閉塞する上下に接合される複数の妻壁ブロックとを備え、内部に放射性物質を含む汚染廃棄物を格納する汚染廃棄物格納庫において、前記各ブロックの接合部を、汚染廃棄物に含まれる放射性物質の放射線を遮蔽する遮蔽構造に形成したものが挙げられる。
【００１０】
また、他の態様としては、複数の開渠ブロックを順次に接合した開渠ブロック群と、開渠ブロック群の両端開口部に接合される妻壁ブロックと、暗渠ブロック群の上端開口部を閉塞する複数の天板ブロックとを備え、内部に放射性物質を含む汚染廃棄物を格納する汚染廃棄物格納庫において、前記各ブロックの接合部を、汚染廃棄物に含まれる放射性物質の放射線を遮蔽する遮蔽構造に形成したものが挙げられる。
【００１１】
なお、前記遮蔽構造の一態様としては、接合対象のブロック間で互いに接合可能な段差形状が挙げられる。
【考案の効果】
【００１２】
本考案によれば、汚染廃棄物格納庫を構成するコンクリート部材の接合部からの放射線の漏洩を抑えることができる。
【図面の簡単な説明】
【００１３】
【図１】本考案の第１実施形態に係る汚染廃棄物格納庫の内視図。
【図２】同  Ａ−Ａ断面図。
【図３】同  Ｂ−Ｂ断面図。
【図４】（ａ）は図３中のＱ部の接合詳細（接合前）を示す拡大図、（ｂ）は同接合詳細（接合後）を示す拡大図。
【図５】（ａ）は図１中のＰ部の接合詳細（接合前）を示す拡大図、（ｂ）は同接合の詳細（接合後）を示す拡大図。
【図６】本考案の第２実施形態に係る汚染廃棄物格納庫の平面図。
【図７】同  Ｃ−Ｃ断面図。
【図８】同  Ｄ−Ｄ断面図。
【図９】（ａ）は図６中のＲ部の接合詳細を示す拡大図、（ｂ）は図８中のＴ部の接合詳細を示す拡大図、（ｃ）は図７中のＳ部の接合詳細を示す拡大図。
【図１０】従来の汚染廃棄物格納庫の斜視図。
【図１１】図１０の縦断面図。
【考案を実施するための形態】
【００１４】
≪第１実施形態≫
以下、図１〜図５に基づき本考案の第１実施形態に係る汚染廃棄物格納庫を説明する。この格納庫１０内には、セシウム１３７やストロンチュウム９０に代表される放射性物質を含む下水道汚泥や除染のために削ぎ取った土壌・間伐材・除草・焼却灰などの汚染廃棄物を詰め込んだ複数のドラム缶（土嚢でもよい。）１１が格納されて保管（仮置きを含む。）されている。
【００１５】
具体的には前記格納庫１０は、図１に示すように、分割製造されたプレキャストコンクリート製の複数のボックスカルバート（暗渠ブロック）１２を施工現場にて前後方向（図１中のＢ−Ｆ）に順次に接合したボックスカルバート１２群と、ボックスカルバート１２群の両端開口部にボルト２１をもって接続されて該開口部を閉塞する上下の妻壁スラブ（妻壁ブロック）１９．２０とを有している。ここではボックスカルバート１２群内にドラム缶１１群を搬入した後に妻壁スラブ１９．２０によりボックスカルバート１２群の両端開口部が閉塞される。
【００１６】
各ボックスカルバート１２は、図２に示すように、ボックス状に形成され、上下一対の底版ブロック１６・頂版ブロック１７と、該両ブロック１６．１７の側端部間を連結する左右一対の側壁ブロック１８とを有している。ここでは各ボックスカルバート１２の底壁ブロック１６同士・頂版ブロック１７同士・側壁ブロック１８同士がそれぞれ順次に接合されている。このとき前記各ブロック１６〜１８の前後端部（Ｂ側端部・Ｆ側端部）の接合部は、汚染廃棄部に含まれる放射性物質の放射線を遮蔽する遮蔽構造に形成されている。この遮蔽構造は、接合対象の前記ブロック１６〜１８間で互いに接合可能な段差形状からなり、下側の妻壁スラブ１９と上側の妻壁スラブ２０との接合部にも形成されている。以下、各接合部の遮蔽構造を説明する。
【００１７】
（１）前記ブロック１６．１７の接合部
底壁ブロック１６および頂版ブロック１７の接合部は、それぞれ対称の段差形状の遮蔽構造に形成されている。この段差形状は、前記各ブロック１６．１７の前後端部でも対称形に形成されている。
【００１８】
図４（ａ）（ｂ）に基づき前記段差構造を説明する。図４（ａ）（ｂ）は、図３中のＱ部の接合詳細、即ち前後方向に接合される頂版ブロック１７の段差形状を示している。図４（ａ）（ｂ）中、１７ａは頂版ブロック１７の後端部（Ｂ側）に形成された接合部（受口）の段差形状の詳細を示し、１７ｂは頂版ブロック１７の前端部（Ｆ側）に形成された接合部（差口）の段差形状の詳細を示している。
【００１９】
ここでは接合部１７ａは、図４（ａ）に示すように、内側に突出部２２が形成され、接続面に内外の段差面２３．２４と両段差面２３．２４間の傾斜面２５とを有している。一方、接合部１７ｂは接合部１７ａと対称形状、即ち外側に突出部２６が形成され、接合部１７ａと反対の段差面２７．２８と両段差面２７．２８間の傾斜面２９とを接続面に有している。
【００２０】
そして、接合部１７ａ．１７ｂの接続にあたっては、内外の段差面同士２３．２８，２４．２７と、傾斜面２５．２９同士とを対向させる。この状態のまま、図４（ｂ）に示すように、段差面２４．２７間にスポンジ系止水シール材Ｓ１．目次材Ｓ２を充填するとともに、外側のスリットに屋外用耐候性シール材Ｓ３を充填し、前後に配置された各頂版ブロック１７の接合部１７ａ．１７ｂが接合されている。
【００２１】
なお、底版ブロック１６の接合部には、図４（ａ）（ｂ）と対称の段差形状が形成され、頂版ブロック１７と同様に接合されている。この底壁ブロック１６に接合される妻壁ブロック１９の下端内部と、頂版ブロック１７に接合される妻壁ブロック２０の上端内部とにも、前記各ブロック１６．１７の接合部と対称の段差形状が形成されている。
【００２２】
（２）側壁ブロック１８の接合部
側壁ブロック１８の接合部は、左右の側壁ブロック１８で対称に形成された段差形状の遮蔽構造からなる。図５（ａ）（ｂ）に基づき側壁ブロック１８の段差形状を説明する。
【００２３】
図５（ａ）（ｂ）は、図１中のＰ部の接合詳細、即ち前後方向に接合される各側壁ブロック１８の段差形状を示している。図５中、１８ａは側壁ブロック１８の後端部（Ｂ側）に形成された接合部（受口）の段差形状の詳細を示し、１８ｂは側壁ブロック１８の前端部（Ｆ側）に形成された接合部（差口）の段差形状の詳細を示している。ここでは接合部１８ａは、図５（ａ）に示すように、内側に突出部３０が形成され、接続面に内外の段差面３１．３２と両段差面３１．３２間の傾斜面３３とを有している。一方、接合部１８ｂは接合部１８ａと対称形状、即ち突出部３４が外側に形成され、接合部１８ａと反対の段差面３５．３６と両段差面３５．３６間の傾斜面３７とを接続面に有している。
【００２４】
そして、接合部１８ａ．１８ｂの接合にあたっては、内外の段差面同士３１．３６，３２．３５と傾斜面３３．３７同士とを対向させる。この状態のまま、図５（ｂ）に示すように、段差面３１．３６間にスポンジ系止水シール材Ｓ１．目次材Ｓ２を充填するとともに、外側のスリットに屋外用耐候性シール材Ｓ３を充填し、前後に配置された各側壁ブロック１８の接合部１８ａ．１８ｂが接合される。なお、前記Ｐ部と反対側の側壁ブロック１８の接合部１８ａ．１８ｂには図５（ａ）（ｂ）と対称の段差形状が形成され、同様に接続されているものとする。
【００２５】
（３）妻壁スラブ１９．２０の接合部
下側の妻壁スラブ１９の上端部と上側の妻壁スラブ２０の下端部との接合部における段差形状を説明する。ここでは妻壁スラブ１９の上端部は、図３に示すように、外側に突出部３８が形成され、接続面に内外の段差面３９．４０と両段差面３９．４０間の傾斜面４１とを有している。
【００２６】
一方、妻壁スラブ２０の下端部は、内側に突出部４２が形成され、接続面に内外の段差面４３．４４と両段差面４３．４４間の傾斜面４５とを有している。この内外の段差面３９．４４，４０．４３同士と傾斜面４１．４５とを対向させて、妻壁スラブ１９の上端部に妻壁スラブ２０の下端部を接続させる。
【００２７】
このように前記格納庫１０によれば、各コンクリートブロック１６〜２０の接合部が段差形状の遮蔽構造に形成されているため、内部に保管されるドラム缶１１内の汚染廃棄物からの放射線の外部漏れを抑えることができる。すなわち、コンクリートブロック１６〜２０は放射線の遮蔽効果が高く、ドラム缶１１内の汚染廃棄物からの放射線は、通常、コンクリートブロック１６〜２０に遮蔽される。ところが、この種の汚染廃棄物格納庫は、分割製造されたコンクリート製品を接合して構築されているため、その接合部から放射線が漏れるおそれがある。
【００２８】
このとき前記格納庫１０の遮蔽構造によれば、各ブロック１６〜２０の段差面２３．２８，３１．３６，４０．４３間に侵入した放射線は、それぞれの傾斜面２９．３７．４１により外部への漏洩が防止される。特に、放射線のうち最も危険なガンマ線は直線状に進む性質を有しているものの、各傾斜面２９．３７．４１は各段差面２３．２８，３１．３６，４０．４３と略直交しているため、各傾斜面２９．３７．４１で効果的に遮蔽することができる。この意味で各傾斜面２９．３７．４１は、内部に格納された汚染廃棄物の放射線を遮蔽する遮蔽面として機能している。
【００２９】
その結果、前記格納庫１０に汚染廃棄物を安全に保管でき、放射線量の大幅な減衰効果が期待できる。したがって、前記格納庫１０の周囲（例えば民家、道路、田畑など）への放射線の影響が抑制される。
【００３０】
≪第２実施形態≫
図６〜図９に基づき本考案の第２実施形態に係る汚染廃棄物格納庫を説明する。この格納庫６０内には、汚染廃棄物を詰め込んだ複数のフレコンバッグ６１（ドラム缶や土嚢などでもよい。）が格納されて保管（仮置きを含む。）されている。
【００３１】
前記格納庫６０は、図６および図７に示すように、分割製造されたプレキャストコンクリート製の複数のＵ型カルバート６５（開渠ブロック）を施工現場にて前後方向（図６中のＢ−Ｆ）に順次に接合したＵ型カルバート６５群と、Ｕ型カルバート６５群の両端開口部を閉塞する一対の妻壁スラブ（妻壁ブロック）６３と、Ｕ型カルバート６５群の上端開口部を閉塞する複数の天板スラブ（天板ブロック）６４群とを有している。ここではＵ型カルバート６５群内にフレコンバッグ６１を搬入した後に両妻壁スラブ６３でＵ型カルバート６５群の両端開口部を閉塞し、天板スラブ６４群によりＵ型カルバート６５群の上端開口部を閉塞する。
【００３２】
Ｕ型カルバート６５は、図７に示すように、Ｕ字状に形成され、底壁ブロック６６と底壁ブロック６６の両側端部に垂直に立設された左右一対の側壁ブロック６７とを有している。そして、図８に示すように、前後に配置されたＵ型カルバート６５の側壁ブロック６７が順次接合され、各側壁ブロック６７の上端部に天板スラブ６４の左右側端部が接合され、前後の天板スラブ６４が順次接合されている。また、Ｕ型カルバート６５群の両端開口部では、天板スラブ６４および底壁ブロック６６に妻壁スラブ６３が接合されている。この各接合部は、第１実施形態と同様な段差形状の遮蔽構造に形成されている。以下、各接合部の遮蔽構造を説明する。
【００３３】
（１）側壁ブロック６７の接合部
側壁ブロック６７の接合部は、左右の側壁ブロック６７で対称に形成された段差形状の遮蔽構造からなる。図９（ａ）に基づき側壁ブロック６７の段差形状を説明する。
【００３４】
図９（ａ）は、図６中のＲ部の接合詳細、即ち各側壁ブロック６７の前後端部に形成された段差形状を示している。図９（ａ）中、６７ａは側壁ブロック６７の後端部（Ｂ側）に形成された接合部（受口）の段差形状の詳細を示し、６７ｂは側壁ブロック６７の前端部（Ｆ側）に形成された接合部（差口）の段差形状の詳細を示している。
【００３５】
ここでは接合部６７ａは、外側に突出部６８が形成され、接続面に内外の段差面６９．７０と両段差面６９．７０間の傾斜面７１とを有している。一方、接合部１８ｂは接合部１８ａと対称形状、即ち突出部７２が内側に形成され、接合部１８ａと反対の段差面７３．７４と両段差面７３．７４間の傾斜面７５とを接合面に有している。
【００３６】
この内外の段差面６９．７３，７０．７４同士と傾斜面７１．７５同士とを対向させて、各側壁ブロック６７の接合部６７ａ．６７ｂが接合されている。なお、前記Ｒ部と反対側の側壁ブロック６７の接合部６７ａ．６７ｂには、図９（ａ）と対称の段差形状が形成され、同様に接合されているものとする。また、接合部６７ａ．６７ｂに接合される妻壁スラブ６３の上下端部内側には、接合部６７ａ．６７ｂと対称の段差形状が形成され、同様に接合されているものとする。
【００３７】
（２）天板スラブ６４の接合部
まず、図９（ｂ）に基づき各側壁ブロック６７の上端部に接合される天板ブロック６４の接合部を説明する。図９（ｂ）は、図７中のＳ部の接続詳細を示し、６７ｃは側壁ブロック６７の上端部を示し、６４ａは天板スラブ６４の左側端部を示している。
【００３８】
この左側端部６４ａの内面には、側壁ブロック上端部６７ｃの肉厚と同等な位置に突出部が形成され、内外の段差面７７．７８と両段差面７７．７８と略直交する垂直面８０とを有している。この段差面７８に側壁ブロック６７の上端面７９を対向させて両者６４ａ．６７ｃが接合されている。なお、前記Ｓ部と反対側の天板スラブ６４の右側端部は、図９（ｂ）と対称の段差形状が形成され、同様に側壁ブロック６７の上端部が６７ｃに接続されているものとする。
【００３９】
つぎに図９（ｃ）に基づき天板スラブ６４の前後端部に形成された接続部の遮蔽構造、即ち段差形状を説明する。この段差形状は天板スラブ６４の前後端部で対称に形成されているものとする。
【００４０】
図９（ｃ）は、図８中のＴ部の詳細を示し、６４ｂは天板スラブ６４の後端部（Ｂ側）に形成された接合部（受口）を示し、６４ｃは天板スラブ６４の前端部（Ｆ側）に形成された接合部（差口）を示している。ここで接合部６４ｂは、内側に突出部８０が形成され、接続面に内外の段差面８１．８２と両段差面８１．８２間の傾斜面８３とを有している。一方、接合部６４ｃは、接合部６４ｂと対称形状、即ち外側に突出部８４が形成され、接合部６４ｂと反対の段差面８５．８６と該段差面８５．８６間の傾斜面８７とを有している。
【００４１】
この内外の段差面８０．８６，８２．８５同士と傾斜面８３．８７同士とを対向させて、各天板スラブ６４の接合部６４ｂ．６４ｃが接合されている。なお、底壁ブロック６６の前後端部の接合部にも、前記Ｇ部と対称の段差形状が形成されているものとする。
【００４２】
したがって、前記格納庫６０によれば、前記格納庫１０と同様に側壁ブロック６７の段差面７０．７２や天板スラブ６４の段差面８１．８６間に侵入した放射線は、各傾斜面７１．８７により外部への漏洩が防止されている。また、側壁ブロック上端面６７ｄと天板スラブ６４の垂直面８０との間に侵入した放射線は段差面７８により外部への漏洩が防止されている。この意味で各傾斜面７１．８７および段差面７８も、前記格納庫６０内に格納された汚染廃棄物の放射線を遮蔽する遮蔽面として機能している。
【００４３】
その結果、前記格納庫６０の汚染廃棄物を安全に保管でき、放射線量の大幅な減衰効果が期待できる。したがって、前記格納庫６０の周囲（例えば民家、道路、田畑など）への放射線の影響が抑制される。
【００４４】
なお、本考案は、上記実施形態に限定されるものではなく、例えば前記格納庫１０．６０の外壁に外壁汚れ抑制材を設けることができ、内部に放射性物質付着抑制材や放射性物質吸着シートを設けることもできる。
【符号の説明】
【００４５】
１０．６０…汚染廃棄物格納庫
１２…ボックスカルバート
１９．２０．６３…妻壁スラブ
１７ａ．１７ｂ…頂版ブロックの接合部
１８ａ．１８ｂ．６７ａ．６７ｂ…側壁ブロックの接合部
２３．２４．２７．２８…頂版ブロックの段差面
２５．２９…頂版ブロックの傾斜面
３１．３２．３５．３６．６９．７０．７３．７４…側壁ブロックの段差面
３３．３７．７１．７５…側壁ブロックの傾斜面
３９．４０．４３．４４…妻壁スラブの段差面
４１．４５…妻壁スラブの傾斜面
６４…天板スラブ
６４ａ…天板スラブの両端部の接合部
６４ｂ．６４ｃ…天板スラブの前後端部の接合部
６５…Ｕ型カルバート
７７．７８…天板スラブの両端部の段差面
８１．８２．８５．８６…天板スラブの前後端部の段差面
８３．８７…天板スラブの前端部の傾斜面
【図１】
0003177030.tif 000003
【図２】
0003177030.tif 000004
【図３】
0003177030.tif 000005
【図４】
0003177030.tif 000006
【図５】
0003177030.tif 000007
【図６】
0003177030.tif 000008
【図７】
0003177030.tif 000009
【図８】
0003177030.tif 000010
【図９】
0003177030.tif 000011
【図１０】
0003177030.tif 000012
【図１１】
0003177030.tif 000013
【手続補正書】
【提出日】平成24年5月15日(2012.5.15)
【手続補正１】
【補正対象書類名】実用新案登録請求の範囲
【補正対象項目名】全文
【補正方法】変更
【補正の内容】
【実用新案登録請求の範囲】
【請求項１】
複数のコンクリート部材の接合により構築されて放射性物質を含む汚染廃棄物を内部に格納する汚染廃棄物格納庫において、
接合対象の各コンクリート部材の接合部を互いに接合可能な段差形状の遮蔽構造に形成して、
汚染廃棄物に含まれる放射性物質の放射線を遮蔽することを特徴とする汚染廃棄物格納庫。
【請求項２】
複数の暗渠ブロックを順次に接合した暗渠ブロック群と、暗渠ブロック群の両端開口部を閉塞する上下に接合される複数の妻壁ブロックとを備え、内部に放射性物質を含む汚染廃棄物を格納する汚染廃棄物格納庫において、
接合対象の各ブロックの接合部を互いに接合可能な段差形状の遮蔽構造に形成して、
汚染廃棄物に含まれる放射性物質の放射線を遮蔽することを特徴とする汚染廃棄物格納庫。
【請求項３】
複数の開渠ブロックを順次に接合した開渠ブロック群と、開渠ブロック群の両端開口部に接合される妻壁ブロックと、暗渠ブロック群の上端開口部を閉塞する複数の天板ブロックとを備え、内部に放射性物質を含む汚染廃棄物を格納する汚染廃棄物格納庫において、
接合対象の各ブロックの接合部を互いに接合可能な段差形状の遮蔽構造に形成して、
汚染廃棄物に含まれる放射性物質の放射線を遮蔽することを特徴とする汚染廃棄物格納庫。